(57)【要約】【課題】遠心分離式の集塵部を備えた電気掃除機において、比重が軽くて体積の大きい繊維性の塵埃も確実に集塵できることを目的とする。【解決手段】集塵ケース１１は、吸引風が流入する吸入口２６を有する粗塵収容室２２と、前記粗塵収容室２２を通過した後の塵埃を吸引風と遠心分離する遠心分離室２３とから構成されてなるとともに、前記粗塵収容室２２と前記遠心分離室２３とはフィルター３２を介して連通してなるもので、フィルター３２にて比重が軽くて体積の大きい繊維性の塵埃を捕集して粗塵収容室２２に蓄積できるため、使い勝手を向上できる。【選択図】　図３
2004141312.tif 000002
【特許請求の範囲】
【請求項１】
吸引風を発する電動送風機と、前記電動送風機と連通し塵埃を吸引する吸込具と、前記吸引した塵埃を吸引風と分離および捕集する集塵部とを備え、前記集塵部は、前記吸込具からの吸引風が流入する吸入口を有する粗塵収容室と、前記粗塵収容室を通過した後の塵埃を吸引風と遠心分離する遠心分離室とから構成されてなるとともに、前記粗塵収容室と前記遠心分離室とは粗塵捕集手段を介して連通してなる電気掃除機。
【請求項２】
塵埃収容室と遠心分離室を連通する連通口を有し、前記連通口と吸入口は、集塵部の鉛直方向の中心軸を境にそれぞれ左右方向に分離して設けた請求項１記載の電気掃除機。
【請求項３】
塵埃収容室と連通口との間に、粗塵捕集手段通過後の吸引風が流れる流路空間部を設けた請求項１または２記載の電気掃除機。
【請求項４】
流路空間部の流路最小断面積を、吸気口の断面積以上にした請求項３記載の電気掃除機。
【請求項５】
粗塵捕集手段はフィルターで、前記フィルターの両面または少なくとも塵埃収容室に対向する側の面は、凹凸のない平面状とした請求項１〜４のいずれか１項に記載の電気掃除機。
【請求項６】
塵埃収容室に開閉自在な塵埃収容室蓋を設け、前記塵埃収容室蓋に対し、フィルターの少なくとも一部を傾斜させ配置させてなる請求項５記載の電気掃除機。
【請求項７】
塵埃収容室に開閉自在な塵埃収容室蓋を設け、前記塵埃収容室は、粗塵捕集手段にて分離した塵埃を収納する粗塵収容室と、遠心分離室にて分離した塵埃を収容する細塵収容室から構成されるとともに、前記塵埃収容室蓋を開くと、前記粗塵収容室と前記細塵収容室の両方が一度に大気に開放される請求項１〜６のいずれか１項に記載の電気掃除機。
【請求項８】
細塵収容室の回りを、粗塵収容室にて囲んだ請求項７記載の電気掃除機。
【請求項９】
粗塵収容室内に対する細塵収容室の容積の割合を１０％〜２０％とした請求項７または８記載の電気掃除機。
【請求項１０】
フィルターの少なくとも一部を、吸入口の中心より下方に位置させた請求項５または６記載の電気掃除機。
【請求項１１】
吸引風を発する電動送風機と、前記電動送風機と連通し塵埃を吸引する吸込具と、前記吸引した塵埃を吸引風と分離および捕集する集塵部とを備え、前記集塵部は、前記吸込具からの吸引風が流入する吸入口を有する粗塵収容室と、前記粗塵収容室を通過した後の塵埃を吸引風と遠心分離する遠心分離室とから構成されてなるとともに、前記粗塵収容室と前記遠心分離室とは重合して配置されかつ粗塵捕集手段を介して連通してなる電気掃除機。
【発明の詳細な説明】
【０００１】
【発明の属する技術分野】
本発明は、吸気を旋回して塵埃を分離する遠心分離式の集塵部を備えた電気掃除機に関するものである。
【０００２】
【従来の技術】
従来の遠心分離式集塵部を有した電気掃除機においては、吸塵されて遠心分離式集塵部にて分離された塵埃は、遠心分離式集塵部内の旋回気流の影響を受けながら、単純にその集塵部下方に蓄積していく構成のものであった（例えば、特許文献１、特許文献２参照。）。
【０００３】
【特許文献１】
特開平９−２５３０１１号公報
【特許文献２】
特開２０００−３４２４９２号公報
【０００４】
【発明が解決しようとする課題】
ところがこのような遠心分離式集塵部を有した電気掃除機においては、粉、砂等の細塵を分離するのにはその遠心分離式の特質を十分に発揮できるが、比重が軽くて体積の大きい繊維性の塵埃は、分離効果が悪く、排気空気中に含まれる欠点があった。
【０００５】
本発明は上記課題を解決するもので、遠心分離式の集塵部を備えた電気掃除機において、比重が軽くて体積の大きい繊維性の塵埃も確実に集塵できることを目的とする。
【０００６】
【課題を解決するための手段】
上記目的を達成するために本発明は、吸引風を発する電動送風機と、前記電動送風機と連通し塵埃を吸引する吸込具と、前記吸引した塵埃を吸引風と分離および捕集する集塵部とを備え、前記集塵部は、前記吸込具からの吸引風が流入する吸入口を有する粗塵収容室と、前記粗塵収容室を通過した後の塵埃を吸引風と遠心分離する遠心分離室とから構成されてなるとともに、前記粗塵収容室と前記遠心分離室とは粗塵捕集手段を介して連通してなるもので、比重が軽くて体積の大きい繊維性の塵埃も確実に集塵できる。
【０００７】
【発明の実施の形態】
本発明の請求項１記載の発明は、吸引風を発する電動送風機と、前記電動送風機と連通し塵埃を吸引する吸込具と、前記吸引した塵埃を吸引風と分離および捕集する集塵部とを備え、前記集塵部は、前記吸込具からの吸引風が流入する吸入口を有する粗塵収容室と、前記粗塵収容室を通過した後の塵埃を吸引風と遠心分離する遠心分離室とから構成されてなるとともに、前記粗塵収容室と前記遠心分離室とは粗塵捕集手段を介して連通してなるもので、粗塵捕集手段にて比重が軽くて体積の大きい繊維性の塵埃を捕集して粗塵収容室に蓄積できるため、排気空気中に比重が軽くて体積の大きい繊維性の塵埃が含まれることを防止でき、使い勝手を向上できる。
【０００８】
本発明の請求項２記載の発明は、塵埃収容室と遠心分離室を連通する連通口を有し、前記連通口と吸入口は、集塵部の鉛直方向の中心軸を境にそれぞれ左右方向に分離して設けたもので、塵埃収容室内において、塵埃の蓄積を吸気口から最も離れた所から順次行うことができることで、塵埃収容室内の塵埃の蓄積容量を増加できる。
【０００９】
本発明の請求項３記載の発明は、塵埃収容室と連通口との間に、粗塵捕集手段通過後の吸引風が流れる流路空間部を設けたもので、粗塵捕集手段の連通口側が蓄積された塵埃で覆われたとしても、前記流路空間部を空気が通過できるため、遠心分離室へと流れる空気の通路を確保することができ、吸気風量の低下も少なく、掃除運転の持続性を向上できる。
【００１０】
本発明の請求項４記載の発明は、流路空間部の流路最小断面積を、吸気口の断面積以上にしたもので、吸気口に対向する部分に塵埃が蓄積した状態においても、流路空間部を空気が流れることができるため、吸込み力の損失を少なくすることができるものである。
【００１１】
本発明の請求項５記載の発明は、粗塵捕集手段はフィルターで、前記フィルターの両面または少なくとも塵埃収容室に対向する側の面は、凹凸のない平面状としたもので、フィルターに凹凸部がないことで、フィルターへの塵埃の絡みつきを防止でき、塵埃収容室内に捕集した塵埃を排出した後の、フィルターへの塵埃の付着を防止できる。
【００１２】
本発明の請求項６記載の発明は、塵埃収容室に開閉自在な塵埃収容室蓋を設け、前記塵埃収容室蓋に対し、フィルターの少なくとも一部を傾斜させ配置させてなるもので、塵埃収容室蓋を開いて、前記塵埃収容室内に蓄積している塵埃を排出するとき、前記塵埃はフィルターの傾斜部に沿ってすべって排出できることで、塵埃収容室内に蓄積している塵埃の排出がし易くなる。
【００１３】
本発明の請求項７記載の発明は、塵埃収容室に開閉自在な塵埃収容室蓋を設け、前記塵埃収容室は、粗塵捕集手段にて分離した塵埃を収納する粗塵収容室と、遠心分離室にて分離した塵埃を収容する細塵収容室から構成されるとともに、前記塵埃収容室蓋を開くと、前記粗塵収容室と前記細塵収容室の両方が一度に大気に開放されるもので、分離した粗塵と細塵を同時に排出でき、使い勝手の向上を図ることができる。
【００１４】
本発明の請求項８記載の発明は、細塵収容室の回りを、粗塵収容室にて囲んだもので、細塵の舞い上げを少なくすることができ、衛生的にゴミを捨てることができるものである。
【００１５】
本発明の請求項９記載の発明は、粗塵収容室内に対する細塵収容室の容積の割合を１０％〜２０％としたもので、一般家庭における塵埃の成分比率に近づけることにより、コンパクトな塵収容室を有効に活用できるものである。
【００１６】
本発明の請求項１０記載の発明は、フィルターの少なくとも一部を、吸入口の中心より下方に位置させたもので、塵埃吸引時にフィルターに気流を当てることで、フィルターのクリーニング効果を得ることができ、フィルターのメンテナンスの軽減を図ることができる。
【００１７】
本発明の請求項１１記載の発明は、吸引風を発する電動送風機と、前記電動送風機と連通し塵埃を吸引する吸込具と、前記吸引した塵埃を吸引風と分離および捕集する集塵部とを備え、前記集塵部は、前記吸込具からの吸引風が流入する吸入口を有する粗塵収容室と、前記粗塵収容室を通過した後の塵埃を吸引風と遠心分離する遠心分離室とから構成されてなるとともに、前記粗塵収容室と前記遠心分離室とは重合して配置されかつ粗塵捕集手段を介して連通してなるもので、粗塵捕集手段にて比重が軽くて体積の大きい繊維性の塵埃を捕集して粗塵収容室に蓄積できるため、排気空気中に比重が軽くて体積の大きい繊維性の塵埃が含まれることを防止でき、使い勝手を向上できるとともに、コンパクトな集塵部が形成できる。
【００１８】
【実施例】
（実施例１）
以下、本発明の第１の実施例を、図１〜図６を用いて説明する。
【００１９】
図１において、電気掃除機１は延長管２に取り付けた塵埃を吸引する吸込具３を有し、前記延長管２は手元ハンドル４とホース継ぎ手５付きのホース６とを介して掃除機本体７（以下、本体７とする）に連結されている。本体７は、枢支された１個の前輪キャスター８と一対の後輪９とを備えている。
【００２０】
図２に示すように、本体７内前方に形成された凹部１０には、図１における前記吸込具３から吸引され、前記延長管２および前記ホース６内の吸引通路（図示せず）を通過し、本体７まで移送させた塵埃を吸引風と分離しまた捕集する集塵部である集塵ケース１１が取外し可能に装着される。また、本体７の凹部１０の後方には吸引風を発する電動送風機１２等が内蔵されている。この電動送風機１２の吸入側は、開口１３を通じて空気吸入部１４に連通している。空気吸入部１４は、集塵ケース１１を載せた時、集塵ケース１１に当接する傾斜シール面１５で包囲されている。本体７後方には、排気フィルタ１６も備えており、この排気フィルター１６を通過して電動送風機１２からの排気は、本体７の機外へ放出される。更に本体７には他の部品、すなわち前記電動送風機１２の消費電力等を制御する制御部１７等の電気系統や、前記電動送風機１２に電源を供給するコードを本体７内に巻き取るコード巻き取り装置（図示せず）等が内蔵されている。
【００２１】
本体７の前壁１８は底壁１９から立ち上がっており、この底壁１９は前記凹部１０の下端面となっている。前壁１８の略中央部にはホース継ぎ手５を着脱自在に接続するための吸気口２０が設けられている。シールパッキン２１は吸気口２０の凹部１０側端面に取り付けられていて、吸気口２０と集塵ケース１１との間の空気洩れを防止している。
【００２２】
図３〜図６に示すように、集塵ケース１１には、前記集塵ケース１１の下方部に設けられ吸気口２０を通過した含塵気流から粗塵を捕集する粗塵収容室２２と、前記粗塵収容室２２に重合して、本実施例では上方に重合して設けられ、粗塵をほとんど除去した気流から細塵を分離するための遠心分離室２３と、前記遠心分離室２３の下方かつ前記粗塵収容室２２と並列に設けられ前記遠心分離室２３にて遠心分離された細塵を蓄積する細塵収容室２４の３室が形成してあり、前記粗塵収容室２２と前記細塵収容室２４は相互に仕切られ区画されている。集塵ケース１１のケース前壁２５には吸入口２６を形成してあり、この吸入口２６の一端は、前記集塵ケース１１を本体７にセットした状態においては前記吸気口２０と同心上にあって連通し、一方他端は粗塵収容室２２と連通している。
【００２３】
図３において、粗塵収容室２２は、下部に開閉自在の塵収容室蓋２７を有し、粗塵捕集手段である一次フィルター３２を介して前記遠心分離室２３と連通している。前記一次フィルター３２は、粗塵収容室２２に流入した塵埃を含む吸引風のうち、粗塵を前記粗塵収容室２２にて捕集する役割を果たし、それにより前記粗塵が前記粗塵収容室２２内に蓄積される構成となっている。また、図５のように、一次フィルター３２は、樹脂板にパンチング加工にて無数の穴をあけたものであり、塵収容室蓋２７に対し、中央部は略水平に、両サイドは、上方に傾斜させる形で配置されている。
【００２４】
前記一次フィルター３２の上方かつ前記遠心分離室２３の下方には、前記遠心分離室２３を形成する分離室壁２８と一体にかつ前記一次フィルター３２と上下方向に所定の間隔を保つように隔離壁２９が形成されている。また、前記隔離壁２９の端部に、遠心分離室２３の吸気上流側に連通する連通口Ａ３０も形成されている。そのため、粗塵収容室２２と前記遠心分離室２３の上下方向の間には、流路空間部３１が確保される構成となっており、また、前記吸入口２６は、連通口Ａ３０に対し、集塵ケース１１の鉛直方向の中心軸を境にそれぞれ左右方向に分離して設けている。本実施例においては、集塵ケース１１の前方からみて、前記集塵ケース１１の略端部に、前記吸入口２６は、連通口Ａ３０はそれぞれ設けられている。
【００２５】
次に、遠心分離室２３は、集塵ケース１１の前方からみて右上部側に分離室壁２８によって略円筒状に形成され、連通口Ａ３０と遠心分離室２３とが連通しており、連通口Ａ３０から遠心分離室２３へ流入する気流を前記分離室壁２８の内周接線方向に流入させている。また、分離室壁２８には連通口Ｂ３３が形成されており、遠心分離室２３と細塵収容室２４を連通している。図３に示すように、連通口Ｂ３３は分離室壁２８の側方に設けられており、遠心分離室２３内で遠心分離された細塵が図の矢印で示すように連通口Ｂ３３を通過して細塵収容室２４内に搬送される。
【００２６】
図４に示すように、蓋板３４には、外周にパッキング３５を嵌着されており、集塵ケース１１の電動送風機１２の吸気側開口に隙間無く装着することで着脱自在に取り付けられる。パッキング３５は、集塵ケース１１を凹部１０に取り付けた状態では、図１の傾斜シール面１５に軽く圧着した状態となり、本体７の機外から外気が空気吸入部１４に流入することを防止している。
【００２７】
図４、図６に示すように、３７は遠心分離室２３内にほぼ同心状に位置する二次フィルターで、フィルター枠３６より一体に形成された断面略円筒状で周面に多数の通気開口を有するフレームで構成され、さらにその後方（下流側）には細塵を濾過捕集する不織布フィルター３８を配置している。集塵ケース１１の上方には、ハンドル３９が形成されている。ハンドル３９の付近には、塵収容室蓋２７を開閉させる際に操作される尾錠ボタン４０を備えている。尾錠ボタン４０はスプリング４１の付勢力を受けて塵収容室蓋２７の保持レバー４２を解除させる（図示せず）。
【００２８】
次に、上記構成における動作、作用について説明する。
【００２９】
電動送風機１２を運転状態にすると、吸込具３から吸引された塵埃を含んだ空気流は延長管２とホース６を通って吸気口２０の中へ流入する。この空気流は、吸入口２６を通り粗塵収容室２２へ入った後、一次フィルター３２を通過するが、前記一次フィルター３２の穴よりも体積の大きい塵は一次フィルター３２に捕集され、前記粗塵収容室２２に蓄積される。また、前記一次フィルター３２の穴よりも体積の小さい塵埃は気流と一緒になって連通口Ａ３０を次々に通過し、遠心分離室２３に入る。
【００３０】
遠心分離室２３へ侵入する空気は、前記遠心分離室２３を形成する断面略円筒状の分離室壁２８の接線方向に流れ込み、分離室壁２８の内面に沿って旋回渦流となり遠心分離室２３内を旋回する。そして遠心分離室２３に入った塵埃は、前記旋回渦流によって発生する遠心力の作用を受け、分離室壁２８内面に沿って回転しながら、連通口Ｂ３３より遠心力で飛ばされるようにして細塵収容室２４内に入る。
【００３１】
また、前記旋回渦流の回転中心部分の空気には殆ど塵埃がない状態となっているが、二次フィルター３７および不織布フィルター３８でろ過した後、空気吸入部１４から電動送風機１２に吸引され、排気フィルター１６を通過して更に塵埃を除去され、排気となって本体７の機外、つまり大気中へ排出される。
【００３２】
粗塵収容室２２内に蓄積する塵埃は、連通口Ａ３０部から遠心分離室２３に向かう気流により一次フィルター３２へ押しつけられる風圧を受けて圧縮され、粗塵収容室２２の容積以上の塵埃を蓄積することが可能となる。特に質量に対して嵩張りの大きい繊維質の塵埃を吸引するときに効果が大きくなる。
【００３３】
掃除機内部に溜まった塵埃等を廃棄する際には、ハンドル３９部を握り集塵ケース１１を持ち上げ、本体７の凹部１０から取り外す。次にハンドル３９付近に設けられた尾錠ボタン４０を操作し、塵収容室蓋２７を開くことで粗塵収容室２２と細塵収容室２４が一挙に開放されゴミ箱等に排出できる。なお、集塵ケース１１内に塵埃が付着していても、上記の状態で簡単に水洗いができ、衛生的に清掃できる。
【００３４】
そしてすでに記述したように、粗塵収容室２２内の塵埃は連通口Ａ３０から遠心分離室２３に向かう気流により、一次フィルター３２に押し付けられ、常時圧縮されるわけであるが、まず第一に遠心分離室２３の吸気上流側に粗塵を捕集する一次フィルター３２を設けることにより、遠心分離室２３内の二次フィルター３７の目づまりによる早期風量低下を防止することができる。例えば、従来の遠心分離式掃除機においては、含塵気流はいきなり遠心分離室２３に搬送され塵埃を分離していた。そのために、ビニル袋やティッシュペーパーや比重が軽くて体積の大きい繊維性の塵埃を吸引した場合には、遠心分離室２３内のフィルターに付着し、一瞬にして風量低下し吸気ができなくなってしまっていた。これに対し、本発明のように、含塵気流から先ず粗塵を分離した後に、細塵を遠心分離することにより、少量の塵埃での急激な風量低下を防ぐことができる。
【００３５】
次に、吸入口２６と遠心分離室２３へと通ずる連通口Ａ３０の位置関係において、集塵ケース１１の鉛直方向の中心軸を境に略対角に配置したことで、粗塵は吸入口３６と連通口Ａ３０の間が最も効率良く圧縮できるためであり、その効果を最大限に活用するためのものである。すなわち、粗塵収容室２２の両端にそれぞれ配置するのが最も圧縮効果があり、粗塵収容室２２を有効に活用できるのである。
【００３６】
また、一次フィルター３２の吸気下流側に流路空間部３１設けたことで、吸入口２６から侵入した粗塵は、連通口Ａ３０付近の一次フィルター３２に付着し、その部分の通気性が悪くなると、次に一次フィルター３２全面に薄っすらと塵埃が付着する。その後、塵埃は連通口Ａ３０の直下から吸入口まで若干傾斜した形で縦方向（一次フィルターに対して）に順次、圧縮蓄積していく。これにより、連通口Ａ３０直下部に塵埃が圧縮蓄積して風量低下するのを防止できる。したがって、塵埃の蓄積にかかわらず吸入口２６から連通口Ａ３０へと通ずる流路空間部３１確保することにより、粗塵収容室が２２満杯になるまで風量低下なく吸引圧縮することができるものである。
【００３７】
また、前記流路空間部３１の大きさについてであるが、大きく取れれば問題ないが、集塵ケース１１全体の大きさにかかわることでもあり、その目安について述べる。図４に示すように、含塵気流の入り口である吸入口２６の開口面積アよりも、流路空間部３１における流路最小断面積イの方を大きくしたもので、塵埃が蓄積による通路面積の減少を避け、常に初期吸込み力を維持するための条件のひとつとなるものである。
【００３８】
また、一次フィルター３２の粗塵収容室２２側の面を凹凸のない平面状にすることにより、粗塵の吸引圧縮時の繊維質の塵埃の引っかかりを少なくするとともに、塵埃排出時の塵離れ性の向上を図ることにより、ゴミ捨てが衛生的でかつ容易に行うことができるものである。なお、本実施例では一次フィルター３２を樹脂板にパンチング加工にて穴を形成したものを記載しているが、成型時に樹脂板を引き伸ばして穴を形成したもの等であっても問題ないことは云うまでもないものである。また、材料が樹脂でなく金属であっても当然かまわないものであり、材質や加工方法による違いについては包含できることは云うまでもない。
【００３９】
また、一次フィルター３２を、塵収容室蓋２７に対して、少なくとも一部を傾斜させ配置させてなるもので、塵埃収容室蓋２７を開いて、前記粗塵収容室２２内に蓄積している塵埃を排出するとき、前記塵埃はフィルターの傾斜部に沿ってすべって排出できることで、塵埃収容室内に蓄積している塵埃の排出がし易くなる。なお、本実施例においては、粗塵収容室２２の両サイドを上方側に傾斜させる構成としている。
【００４０】
次に、粗塵収容室２２内の細塵収容室２４の容積比であるが、細塵収容室２４の占める割合を、図７に示すように、収容室全体の容積のうち１０〜２０％としている。これは、一般家庭における細塵（一次フィルターの穴を通過できる大きさ以下の塵埃）の割合が当社分析結果により約１５％であった結果を踏まえ設定したものであり、結果として、家庭の掃除においては、粗塵と細塵を同じくらいの蓄積比率で収容していくことができ、例えば、細塵収容室２４が満杯になったけど粗塵収容室２２がほとんど蓄積していないというような現象を少なくすることができ、塵収容室を効率よく活用することができるものである。
【００４１】
（実施例２）
次に、本発明の第２の実施例を、図６を用いて説明する。なお、第１の実施例とに対し、集塵ケース１１内における細塵収容室２４の回りを粗塵収容室２２にて囲み配置したものである。
【００４２】
上記構成による作用は、塵埃を排出する際に、細塵の周囲を粗塵にて包囲することにより、細塵の舞い上がりを抑え衛生的にゴミ箱等に排出することができるものである。これは、本構成のように細塵と粗塵をあらかじめ分離する構成の集塵ケースであるがために可能なことである。また、ここでは記載していないが、粗塵室と細塵室を全く分離してしまい、細塵については排出時にゴミ袋等に移し易いように排出口を小さく絞った形状のものにする等は容易に推測できるものである（図示せず）。
【００４３】
（実施例３）
次に、本発明の第３の実施例を、図８を用いて説明する。なお、第１、第２の実施例と同一構成部品については同一符号を付してその説明を省略する。
【００４４】
粗塵収容室２２において一次フィルター３２を湾曲させて配置するとともに、一次フィルター３２の少なくとも一部を、吸入口２６の中心より下方に位置させたものである。
【００４５】
これにより、塵埃吸引時にフィルターに気流を当てることで、一次フィルター３２内面への塵埃付着を防止することができるため、一次フィルター３２のクリーニング効果を得ることができ、フィルターのメンテナンスの軽減を図ることができるとともに、高吸気性能を維持しやすくできるものである。
【００４６】
【発明の効果】
本発明によれば、遠心分離式の集塵部を備えた電気掃除機において、比重が軽くて体積の大きい繊維性の塵埃も確実に集塵できる。
【図面の簡単な説明】
【図１】本発明の第１の実施例を示す電気掃除機の全体外観図
【図２】同掃除機本体の側断面図
【図３】図２のＡ−Ａ断面図
【図４】図３のＢ−Ｂ断面図
【図５】（ａ）同一次フィルターの平面拡大図
（ｂ）図５（ａ）のＣ−Ｃ断面図
【図６】本発明の第２の実施例を示す図２のＡ−Ａ断面図
【図７】図５のＣ矢視図（塵収容室蓋２７を開いたとき）
【図８】本発明の第３の実施例を示す図２のＡ−Ａ断面図
【符号の説明】
１１　集塵ケース（集塵部）
１２　電動送風機
２２　粗塵収容室
２３　遠心分離室
２４　細塵収容室
２６　吸入口
２７　塵収容室蓋
３０　連通口Ａ
３１　流路空間部
３２　一次フィルター（粗塵捕集手段）
３３　連通口Ｂ
【図１】
2004141312.tif 000003
【図２】
2004141312.tif 000004
【図３】
2004141312.tif 000005
【図４】
2004141312.tif 000006
【図５】
2004141312.tif 000007
【図６】
2004141312.tif 000008
【図７】
2004141312.tif 000009
【図８】
2004141312.tif 000010